(57)【要約】  本発明の実施例はデータを伝送する方法及び装置に関する。該方法は、第１装置は第２装置が送信した第１信号を受信するステップ、及び該第１装置は該第１信号に基づき、データを送信するか否かを確定するステップを含む。本発明の実施例によるデータを伝送する方法及び装置では、第１装置は受信した第２装置が送信した第１信号に基づいて、例えば、該信号が一定の閾値より強い際に、データを送信し、それにより装置のエネルギー消費を節約することができ、装置の省エネルギー効果を向上させる。
2019533321.tif 000002
【特許請求の範囲】
【請求項１】
データを伝送する方法であって、
第１装置は第２装置が送信した第１信号を受信するステップ、及び
前記第１装置は前記第１信号に基づき、データを送信するか否かを確定するステップを含むことを特徴とするデータを伝送する方法。
【請求項２】
前記第１装置が第２装置の送信した信号を受信することは、
前記第１装置は前記第１装置の位置を指示するための位置情報及び／又は前記第１装置が受信した第２信号の強さを指示するための信号強度情報を確定することと、
前記第１装置は前記位置情報及び／又は信号強度情報に基づき、前記第２装置が送信した前記第１信号を受信することと、を含むことを特徴とする請求項１に記載の方法。
【請求項３】
前記第１装置が位置情報を確定することは、
前記第１装置は全地球測位システムＧＰＳ及び／又は前記第１装置の移動速度に基づき、前記位置情報を確定することを含むことを特徴とする請求項２に記載の方法。
【請求項４】
前記第１装置が前記位置情報に基づき、前記第２装置の送信した前記第１信号を受信することは、
前記第１装置は前記位置情報に基づき、前記第１装置と前記第２装置との間の距離を確定することと、
前記第１装置は前記第１装置と前記第２装置との間の距離が第１閾値以下であると確定した際に、前記第２装置が送信した前記第１信号を受信することと、を含むことを特徴とする請求項２又は３に記載の方法。
【請求項５】
前記第２信号は前記第１装置が受信したＧＰＳ信号であり、又は
前記第２信号はロードサイドユニットＲＳＵが送信した信号であり、又は
前記第２信号は基地局が送信した信号であり、
前記ＲＳＵは端末タイプのＲＳＵ又は基地局タイプのＲＳＵであることを特徴とする請求項２に記載の方法。
【請求項６】
前記第１装置が前記信号強度情報に基づき、前記第２装置の送信した前記第１信号を受信することは、
前記第１装置は前記第２信号の強度が第２閾値以上であると確定した際に、前記第２装置が送信した前記第１信号を受信することを含むことを特徴とする請求項２又は５に記載の方法。
【請求項７】
前記第１装置が前記第１信号に基づき、データを送信するか否かを確定することは、
前記第１信号の信号強度が第３閾値以上である際に、前記第１装置は前記第２装置に前記データを送信することと、
前記第１信号の信号強度が前記第３閾値より小さい際に、前記第１装置は前記第２装置に前記データを送信しないことと、を含むことを特徴とする請求項１〜６のいずれか一項に記載の方法。
【請求項８】
前記第１装置が前記第２装置に前記データを送信することは、
前記第１装置はプリセット周期値にしたがって、周期的に前記第２装置に前記データを送信することを含むことを特徴とする請求項７に記載の方法。
【請求項９】
前記方法は更に、
前記第１装置はネットワーク装置が送信した少なくとも１つの周期値を受信すること、及び
前記第１装置は前記第１信号の信号強度、又は前記第１装置と前記第２装置との間の距離に基づき、前記少なくとも１つの周期値の中から前記プリセット周期値を確定することを含むことを特徴とする請求項８に記載の方法。
【請求項１０】
前記第１装置が前記第２装置に前記データを送信することは、
前記第１装置はネットワーク装置が設定したリソース情報又はリソースプール情報に基づき、前記第２装置に前記データを送信することを含むことを特徴とする請求項１〜９のいずれか一項に記載の方法。
【請求項１１】
前記第１装置が第２装置が送信した第１信号を受信することは、
前記第１装置はネットワーク装置が設定したリソース情報又はリソースプール情報に基づき、前記第２装置が送信した前記第１信号を受信することを含むことを特徴とする請求項１〜１０のいずれか一項に記載の方法。
【請求項１２】
前記第１装置はユーザー端末であり、前記第２装置は車両端末又はロードサイドユニットＲＳＵ又はネットワーク基地局であることを特徴とする請求項１〜１１のいずれか一項に記載の方法。
【請求項１３】
データを伝送する装置であって、
第２装置が送信した第１信号を受信するための送受信ユニット、及び
前記第１信号に基づき、データを送信するか否かを確定するための確定ユニットを含むことを特徴とするデータを伝送する装置。
【請求項１４】
前記確定ユニットは更に、
前記装置の位置を指示するための位置情報及び／又は前記装置が受信した第２信号の強さを指示するための信号強度情報を確定することに用いられ、
前記送受信ユニットは具体的に、
前記位置情報及び／又は信号強度情報に基づき、前記第２装置が送信した前記第１信号を受信することに用いられることを特徴とする請求項１３に記載の装置。
【請求項１５】
前記確定ユニットは具体的に、
全地球測位システムＧＰＳ及び／又は前記装置の移動速度に基づき、前記位置情報を確定することに用いられることを特徴とする請求項１４に記載の装置。
【請求項１６】
前記送受信ユニットは具体的に、
前記位置情報に基づき、前記装置と前記第２装置との間の距離を確定し、
前記装置と前記第２装置との間の距離が第１閾値以下であると確定する際に、前記第２装置が送信した前記第１信号を受信することに用いられることを特徴とする請求項１４又は１５に記載の装置。
【請求項１７】
前記第２信号は前記装置が受信したＧＰＳ信号であり、又は
前記第２信号はロードサイドユニットＲＳＵが送信した信号であり、又は
前記第２信号は基地局が送信した信号であり、
前記ＲＳＵは端末タイプのＲＳＵ又は基地局タイプのＲＳＵであることを特徴とする請求項１４に記載の装置。
【請求項１８】
前記送受信ユニットは具体的に、
前記第２信号の強度が第２閾値以上であると確定した際に、前記第２装置が送信した前記第１信号を受信することに用いられることを特徴とする請求項１４又は１７に記載の装置。
【請求項１９】
前記送受信ユニットは具体的に、
前記第１信号の信号強度が第３閾値以上である際に、前記第２装置に前記データを送信し、
前記第１信号の信号強度が前記第３閾値より小さい際に、前記第２装置に前記データを送信しないことに用いられることを特徴とする請求項１３〜１８のいずれか一項に記載の装置。
【請求項２０】
前記送受信ユニットは具体的に、
プリセット周期値にしたがって、周期的に前記第２装置に前記データを送信することに用いられることを特徴とする請求項１９に記載の装置。
【請求項２１】
前記送受信ユニットは具体的に、
ネットワーク装置が送信した少なくとも１つの周期値を受信することに用いられ、
前記確定ユニットは具体的に、
前記第１信号の信号強度、又は前記装置と前記第２装置との間の距離に基づき、前記少なくとも１つの周期値の中から前記プリセット周期値を確定することに用いられることを特徴とする請求項２０に記載の装置。
【請求項２２】
前記送受信ユニットは具体的に、
ネットワーク装置が設定したリソース情報又はリソースプール情報に基づき、前記第２装置に前記データを送信することに用いられることを特徴とする請求項１３〜２１のいずれか一項に記載の装置。
【請求項２３】
前記送受信ユニットは具体的に、
ネットワーク装置が設定したリソース情報又はリソースプール情報に基づき、前記第２装置が送信した前記第１信号を受信することに用いられることを特徴とする請求項１３〜２２のいずれか一項に記載の装置。
【請求項２４】
前記装置はユーザー端末であり、前記第２装置は車両端末又はロードサイドユニットＲＳＵであることを特徴とする請求項１３〜２３のいずれか一項に記載の装置。
【発明の詳細な説明】
【技術分野】
【０００１】
本発明は通信分野に関し、特にデータを伝送する方法及び装置に関する。
【背景技術】
【０００２】
スマートカーのますますの発展に伴って、将来のカーネットワーキングビジネスをサポートするように、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）にカーネットワーキング機能が導入されている。カーネットワーキングビジネスで、ビジネスアプリケーションシナリオに応じて車両同士間（Ｖ２Ｖ）、車両とネットワーク間（Ｖ２Ｎ）及び車両と歩行者間（Ｖ２Ｐ）に分けることができる。
【０００３】
車両同士間に対して、現在は端末間の直接通信（Ｄ２Ｄ）に基づく強化モードによってサポートする。車両とネットワーク間に対して、従来の端末とネットワークとの間の通信方法と違いが大きくない。車両と歩行者間に対して、ほとんどの通信技術は車両同士間の通信方法を使用することができるが、車両と車両の通信では車両端末が消費電力に対して敏感ではなく、即ち消費電力の問題を考えないことができるが、車両と歩行者間の通信では、ハンドヘルド端末の参加のため、技術設計時に、ユーザーのハンドヘルド端末の省電力問題を解決する必要がある。
【発明の概要】
【０００４】
本出願はデータを伝送する方法及び装置を提供し、装置のエネルギー消費を節約することができる。
【０００５】
第１態様は、データを伝送する方法を提供し、該方法は、第１装置は第２装置が送信した第１信号を受信するステップと、該第１装置は該第１信号に基づき、データを送信するか否かを確定するステップと、を含む。
【０００６】
このため、本出願の実施例によるデータを伝送する方法では、第１装置は第２装置が送信した第１信号を受信し、該第１信号に基づいて、例えば、該信号が一定の閾値より強い場合に、データを送信し、それにより装置のエネルギー消費を節約することができ、装置の省エネルギー効果を向上させる。
【０００７】
第１態様を組み合わせて、第１態様の一実現方法において、該第１装置が第２装置の送信した信号を受信することは、該第１装置は該第１装置の位置を指示するための位置情報及び／又は該第１装置が受信した第２信号の強さを指示するための信号強度情報を確定することと、該第１装置は該位置情報及び／又は信号強度情報に基づき、該第２装置が送信した該第１信号を受信することと、を含む。
【０００８】
このため、第１装置は自分の位置情報、或いは受信できる信号の強度に基づき、第２装置が送信した第１信号を受信するか否かを確定することができ、それにより装置のエネルギー消費を更に節約することができる。
【０００９】
第１態様及びその上記の実現方法を組み合わせて、第１態様の他の実現方法において、該第１装置が位置情報を確定することは、該第１装置は全地球測位システムＧＰＳ及び／又は該第１装置の移動速度に基づき、該位置情報を確定することを含む。
【００１０】
第１態様及びその上記の実現方法を組み合わせて、第１態様の他の実現方法において、該第１装置が該位置情報に基づき、該第２装置の送信した該第１信号を受信することは、該第１装置は該位置情報に基づき、該第１装置と該第２装置との間の距離を確定することと、該第１装置は該第１装置と該第２装置との間の距離が第１閾値以下であると確定した際に、該第２装置が送信した該第１信号を受信することと、を含む。
【００１１】
第１態様及びその上記の実現方法を組み合わせて、第１態様の他の実現方法において、該第２信号は該第１装置が受信したＧＰＳ信号であり、或いは、該第２信号はロードサイドユニットＲＳＵが送信した信号であり、或いは、該第２信号は基地局が送信した信号であり、該ＲＳＵは端末タイプのＲＳＵ又は基地局タイプのＲＳＵである。
【００１２】
第１態様及びその上記の実現方法を組み合わせて、第１態様の他の実現方法において、該第１装置が該信号強度情報に基づき、該第２装置の送信した該第１信号を受信することは、該第１装置は該第２信号の強度が第２閾値以上であると確定した際に、該第２装置が送信した該第１信号を受信することを含む。
【００１３】
第１態様及びその上記の実現方法を組み合わせて、第１態様の他の実現方法において、該第１装置が該第１信号に基づき、データを送信するか否かを確定することは、該第１信号の信号強度が第３閾値以上である際に、該第１装置は該第２装置に該データを送信することと、該第１信号の信号強度が該第３閾値より小さい際に、該第１装置は該第２装置に該データを送信しないことと、を含む。
【００１４】
第１態様及びその上記の実現方法を組み合わせて、第１態様の他の実現方法において、該第１装置が該第２装置に該データを送信することは、該第１装置はプリセット周期値にしたがって、周期的に該第２装置に該データを送信することを含む。
【００１５】
第１態様及びその上記の実現方法を組み合わせて、第１態様の他の実現方法において、該方法は、該第１装置はネットワーク装置が送信した少なくとも１つの周期値を受信するステップ、及び該第１装置は該第１信号の信号強度、又は該第１装置と該第２装置との間の距離に基づき、該少なくとも１つの周期値の中から該プリセット周期値を確定するステップを更に含む。
【００１６】
第１態様及びその上記の実現方法を組み合わせて、第１態様の他の実現方法において、該第１装置が該第２装置に該データを送信することは、該第１装置はネットワーク装置が設定したリソース情報又はリソースプール情報に基づき、該第２装置に該データを送信することを含む。
【００１７】
第１態様及びその上記の実現方法を組み合わせて、第１態様の他の実現方法において、該第１装置が第２装置の送信した第１信号を受信することは、該第１装置はネットワーク装置が設定したリソース情報又はリソースプール情報に基づき、該第２装置が送信した該第１信号を受信することを含む。
【００１８】
第１態様及びその上記の実現方法を組み合わせ、第１態様の他の実現方法において、該第１装置はユーザー端末であり、該第２装置は車両端末又はロードサイドユニットＲＳＵである。
【００１９】
第２態様は、上記の第１態様又は第１態様の任意の可能な実現方法の中の方法を実行するためのデータを伝送する装置を提供する。具体的に、該装置は上記の第１態様又は第１態様の任意の可能な実現方法の中の方法を実行するためのユニットを含む。
【００２０】
第３態様は、データを伝送する装置を提供し、記憶ユニット及びプロセッサーを含み、該記憶ユニットは命令を記憶することに用いられ、該プロセッサーは該メモリに記憶された命令を実行して、且つ該プロセッサーが該メモリに記憶された命令を実行する場合に、該実行によって該プロセッサーが第１態様又は第１態様の任意の可能な実現方法の中の方法を実行する。
【００２１】
第４態様は、コンピュータプログラムを記憶するためのコンピュータ可読媒体を提供し、該コンピュータプログラムは第１態様又は第１態様の任意の可能な実現方法の中の方法を実行するための命令を含む。
【図面の簡単な説明】
【００２２】
本発明の実施例の技術的解決手段をより明確的に説明するために、以下、本発明の実施例に使用する必要がある図面を簡単に説明し、明らかに以下で説明する図面は本発明のある実施例だけであり、当業者にとって、創造的な労力を払わない前提で、更にこれらの図面に基づいてその他の図面を取得することができる。
【００２３】
【図１】本発明の実施例によるデータを伝送する方法の模式的なフローチャートである。
【図２】本発明の実施例によるデータを伝送する装置の模式的なブロック図である。
【図３】本発明の他の実施例によるデータを伝送する装置の模式的なブロック図である。
【発明を実施するための形態】
【００２４】
以下、本発明の実施例における図面を参照して、本発明の実施例における技術的解決手段を明確且つ完全に説明し、明らかに説明された実施例は本発明の一部の実施例だけであり、全部の実施例ではない。本発明における実施例に基づいて、当業者は創造的な労働なしに得られたすべてのその他の実施例は、本発明が保護する範囲に属すべきである。
【００２５】
本発明の実施例における技術的解決手段は様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、「ＧＳＭ」と略称）システム、コード分割多重アクセス（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域コード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、ロングタームエボリューション（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）通信システム又は将来の５Ｇシステム等に応用できる。
【００２６】
図１は本発明の実施例によるデータを伝送する方法１００の模式的なフローチャートを示す。理解すべきなのは、該方法１００はカーネットワーキング技術、例えば車両と歩行者間（Ｖ２Ｐ）通信シナリオに応用でき、該Ｖ２Ｐシナリオには車両端末及びユーザー端末が含まれ、ネットワーク機器が更に含まれることができる。具体的に、該車両端末はユーザー端末と情報インタラクションを直接に実現することができ、或いは該車両端末はネットワーク機器によってユーザー端末と情報インタラクションを実現し、即ち該車両端末はネットワーク機器と情報インタラクションを実現することができ、ユーザー端末もネットワーク機器と情報インタラクションを実現することができる。
【００２７】
選択可能に、該Ｖ２Ｐシナリオにおける車両端末とは任意の車両を指すことができ、該車両端末は自動運転車両であってもよいし、或いは手動運転車両であってもよく、本発明の実施例はこれに制限されない。該Ｖ２Ｐシナリオにおけるユーザー端末はユーザーハンドヘルド端末であってよく、携帯電話（Ｍｏｂｉｌｅ  Ｔｅｌｅｐｈｏｎｅ）、ハンドセット（ｈａｎｄｓｅｔ）、タブレットコンピュータ及びポータブル機器（ｐｏｒｔａｂｌｅ  ｅｑｕｉｐｍｅｎｔ）等を含むが、これらに制限されない。
【００２８】
選択可能に、該ネットワーク機器は基地局であってよく、該基地局はＧＳＭ又はＣＤＭＡにおける基地局（ＢＴＳ、Ｂａｓｅ  Ｔｒａｎｓｃｅｉｖｅｒ  Ｓｔａｔｉｏｎ）であってもよいし、ＷＣＤＭＡにおける基地局（ＮｏｄｅＢ）であってもよいし、ＬＴＥにおける進化した基地局（ｅＮＢ又はｅ−ＮｏｄｅＢ、ｅｖｏｌｕｔｉｏｎａｌ  Ｎｏｄｅ  Ｂ）であってもよく、本発明はこれを制限せず、該ネットワーク機器は車両端末をスケジューリングできるロードサイドユニット（Ｒｏａｄ  Ｓｉｄｅ  Ｕｎｉｔ、ＲＳＵ）であってもよく、選択可能に、該ＲＳＵは基地局タイプのＲＳＵであってもよいし、端末タイプのＲＳＵであってもよく、具体的な形態はインテリジェントな信号灯、交通標識ボード等の機器であってよく、本発明の実施例はこれらに制限されない。
【００２９】
本発明の実施例において、図１に示すように、該方法１００は第１装置により実行されることができ、該第１装置はＶ２Ｐシナリオにおけるユーザー端末を指すことができる。具体的に、該方法１００は、以下のステップＳ１１０〜Ｓ１２０を含む。
【００３０】
Ｓ１１０、第１装置は第２装置が送信した第１信号を受信する。
【００３１】
理解すべきなのは、該第１装置はＶ２Ｐシナリオにおけるユーザー端末であってよく、該第２装置はＶ２Ｐシナリオにおける車両端末であってよく、或いはＶ２Ｐシナリオにおけるネットワーク機器、例えばＲＳＵ、又は基地局であってもよい。
【００３２】
理解すべきなのは、第１装置がユーザー端末で、第２装置が車両端末であることを例として、車両端末は周期的に又は非周期的にある信号を送信することができ、例えば、車両端末は周期的に検出信号を送信し、或いは車両端末の関連情報を運ぶ信号を送信することができる。該Ｓ１１０において、該第１信号は車両端末が周期的に送信する検出信号であってもよいし、車両端末の関連情報を運ぶ信号、例えば、車両端末のシグナリング情報を運ぶ信号、或いは車両端末のデータ情報を運ぶ信号であってもよく、本発明の実施例はこれらに制限されない。
【００３３】
選択可能に、該第２装置はネットワーク機器、例えばＲＳＵである場合、該第１信号は該ＲＳＵが送信した任意の信号であってもよい。
【００３４】
理解すべきなのは、第１装置は予め設定されたリソースによって該第２装置が送信した第１信号を受信することができる。選択可能に、該予め設定されたリソースはネットワーク機器により該第１装置のために予め設定されることができる。具体的に、該第１装置はユーザー端末であってもよく、該ネットワーク機器はユーザー端末にリソース指示情報を送信することができ、該リソース指示情報は該ユーザー端末が使用できるリソース又はリソースプールの情報を指示することに用いられ、該ユーザー端末は該リソース指示情報に基づき、該リソース指示情報に指示されたリソース、或いは該リソース指示情報に指示されたリソースプールの中の任意のリソースによって、該第２装置が送信した第１信号を受信する。
【００３５】
本発明の実施例において、第１装置は予め設定されたルールに準じて、該第１信号を受信するか否かを確定することができる。具体的に、該第１装置は位置情報及び／又は信号強度情報に基づき、第１信号を受信するか否かを確定することができ、該位置情報は該第１装置の位置を指示することに用いられ、該信号強度情報は該第１装置が受信した第２信号の強度を指示することに用いられる。
【００３６】
選択可能に、一実施例として、第１装置がユーザー端末であることを例として、ユーザー端末は位置情報に基づき、第１信号を受信するか否かを確定することができる。具体的に、該位置情報は該ユーザー端末の位置を指示することに用いられることができ、ユーザー端末は測位装置、例えば、全地球測位システム（Ｇｌｏｂａｌ  Ｐｏｓｉｔｉｏｎｉｎｇ  Ｓｙｓｔｅｍ、ＧＰＳ）に基づき、該ユーザー端末が所在する地理位置を確定することができ、ユーザー端末は自分が屋外にあることを確定した場合に、第２装置が送信した第１信号を受信することを確定し、ユーザー端末は自分が屋内にあることを確定した場合に、第１装置が送信した第１信号を受信しない。
【００３７】
選択可能に、ユーザー端末は更にユーザー端末が所在する地理位置に基づき、該ユーザー端末と第２装置との間の距離を確定することができ、或いは、該ユーザー端末は更にユーザー端末の地理位置及び自分の移動速度の両方に基づき該ユーザー端末と第２装置との間の距離を確定することができる。
【００３８】
ユーザー端末は第２装置との間の距離に基づき、第１信号を受信するか否かを確定することができる。具体的に、該ユーザー端末と第２装置との間の距離が第１閾値以下である場合に、即ちユーザー端末と第２装置との距離が近い場合に、ユーザー端末は第２装置が送信した第１信号を受信し、該ユーザー端末と第２装置との間の距離が第１閾値より大きい場合に、即ちユーザー端末と第２装置との距離が遠い場合に、ユーザー端末は第２装置が送信した第１信号を受信しない。選択可能に、該第１閾値は実際の場合に応じて設定されることができ、例えば、該第１閾値はネットワーク機器によりユーザー端末の性能に応じて、ユーザー端末のために予め設定されることができる。
【００３９】
選択可能に、一実施例として、第１装置がユーザー端末であることを例として、ユーザー端末は更に信号強度情報に基づき、第１信号を受信するか否かを確定することができ、該信号強度情報は該ユーザー端末が受信した第２信号の強度を指示することに用いられる。具体的に、該ユーザー端末は第２信号を受信し、該第２信号はＧＰＳ信号であってもよく、或いは、該第２信号はある特殊機器が送信した信号であってもよく、例えば、該第２信号はＲＳＵが送信した信号であってもよく、該ＲＳＵは端末タイプのＲＳＵであってもよく、或いは該ＲＳＵは基地局タイプのＲＳＵであってもよく、或いは該第２信号は基地局が送信した信号であってもよく、或いは、該第２信号は該ユーザー端末が受信できるその他の信号であってもよく、本発明の実施例はこれらに制限されない。
【００４０】
ユーザー端末は該第２信号の信号強度に基づき、第２装置が送信した第１信号を受信するか否かを確定する。具体的に、該第２信号の信号強度が第２閾値以上である際に、ユーザー端末は第２装置が送信した第１信号を受信し、該第２信号の信号強度が該第２閾値より小さい際に、ユーザー端末は第２装置が送信した第１信号を受信しない。選択可能に、該第２閾値は実際の場合に応じて設定されることができる。
【００４１】
選択可能に、一実施例として、第１装置がユーザー端末であることを例として、ユーザー端末は更に位置信号及び信号強度情報の両方に基づき、第２装置が送信した第１信号を受信するか否かを確定することができる。具体的に、ユーザー端末は第２装置との間の距離、及び受信した第２信号の信号強度に基づき、第２装置の第１信号を受信するか否かを確定する。例えば、ユーザー端末と第２装置との間の距離が第１閾値以下であり、且つ受信した第２信号の信号強度が第２閾値以上である際に、ユーザー端末は第２装置が送信した第１信号を受信し、そうでない場合は、ユーザー端末は第２装置が送信した第１信号を受信しない。本発明の実施例はこれに制限されない。
【００４２】
理解すべきなのは、該ユーザー端末は上位レベルによって第１信号の受信を確定することができ、該上位レベルはアプリケーション層であってもよく、下位レベルが該ユーザー端末の受信機を起動して第１信号を受信するように通知する。該下位レベルはアクセス層であってもよい。
【００４３】
Ｓ１２０、該第１装置は該第１信号に基づき、データを送信するか否かを確定する。
本発明の実施例において、第１装置は第２装置が送信した第１信号を受信した後に、該第１信号の強度に基づき、データを送信するか否かを確定することができる。具体的に、該第１信号の強度が第３閾値以上である際に、第１装置は第２装置にデータを送信し、該第１信号の強度が該第３閾値より小さい際に、第１装置は第２装置にデータを送信しない。
【００４４】
選択可能に、該第３閾値は実際の場合に応じて設定されることができ、例えば、ネットワーク機器によって予め設定されることができる。
【００４５】
理解すべきなのは、第１装置がユーザー端末であることを例として、ユーザー端末はデータを送信することを確定した場合に、プリセット周期値に基づき、周期的に第２装置にデータを送信することができる。選択可能に、該プリセット周期値はネットワーク機器がユーザー端末のために予め設定されることができるものである。具体的に、ネットワーク機器はユーザー端末に１つ又は複数の周期値を送信することができ、ネットワーク機器はユーザー端末に１つの周期値を送信する場合は、該周期値は該プリセット周期値となり、ユーザー端末は該プリセット周期値に基づき第２装置にデータを送信する。
【００４６】
選択可能に、ネットワーク機器はユーザー端末に複数の周期値を送信することもでき、ユーザー端末は受信した第１信号の強度、或いは該ユーザー端末と第２装置との間の距離に基づき、複数の周期値の中からプリセット周期値を確定し、且つプリセット周期値にしたがって第２装置にデータを送信することができる。例えば、ユーザー端末が受信した第１信号の信号強度が強く、或いは該ユーザー端末と第２装置との距離が近い場合に、ユーザー端末は小さい周期値をプリセット周期値として選択して、第２装置にデータを送信することができるが、本発明の実施例はこれらに制限されない。
【００４７】
本発明の実施例において、ユーザー端末は予め設定されたリソースによって、第２装置にデータを送信することができる。選択可能に、該予め設定されたリソースはネットワーク機器により該ユーザー端末のために予め設定されることができる。具体的に、該ネットワーク機器はユーザー端末にリソース指示情報を送信することができ、該リソース指示情報は該ユーザー端末が使用できるリソース又はリソースプールの情報を指示することに用いられ、該ユーザー端末は該リソース指示情報に基づき、該リソース指示情報に指示されたリソース、或いは該リソース指示情報に指示されたリソースプールの中の任意のリソースによって、第２装置にデータを送信する。
【００４８】
理解すべきなのは、ユーザー端末が第２装置に送信したデータは、該ユーザー端末を指示することに用いられることができ、第２装置は該データを受信し、該ユーザー端末、該ユーザー端末を持った歩行者に注意するように車両端末を促し、例えば、該第２装置は車両端末である場合に、車両端末は受信したユーザー端末より送信されたデータに基づき、該ユーザー端末に注意するように該車両端末を促すことができる。該第２装置はＲＳＵであってもよく、ＲＳＵはユーザー端末が送信したデータを受信し、該データに基づき、該ユーザー端末に注意するように周囲の車両端末を促す。
【００４９】
選択可能に、ユーザー端末が第２装置に送信したデータは、該ユーザー端末のその他の関連情報、例えば、該ユーザー端末の位置、速度又は方向等を指示することに用いられることもでき、第２装置は該データを受信し、該データに基づき、タイムリに関連の調整を行うことができ、例えば、該第２装置は車両端末である場合に、タイムリに該ユーザー端末を持った歩行者を避けることができ、該第２装置はＲＳＵである場合に、タイムリに該ユーザー端末を持った歩行者を避けるようにユーザー端末の周囲の車両端末に通知することができる。
【００５０】
理解すべきなのは、本文で用語「及び／又は」は、ただ関連するオブジェクトを記述する関連関係であり、３種の関係が存在することを表し、例えば、Ａ及び／又はＢはＡが単独で存在し、Ａ及びＢが同時に存在し、Ｂが単独で存在するという３種の場合を示すことができる。また、本文での「／」記号は、一般的に前後関連のオブジェクトが「又は」の関係であることを表す。
【００５１】
理解すべきなのは、本発明の様々な実施例において、上記各過程の順序番号は実行順序を意味せず、各過程の実行順序はその機能及び内部ロジックによって確定すべきもので、本発明の実施例の実施過程に対して如何なる制限もない。
【００５２】
このため、本発明の実施例によるデータを伝送する方法では、ユーザー端末は自分の位置情報、或いは受信できる信号の強度に基づいて、第２装置が送信した信号を受信するか否かを確定し、且つ該受信した第２装置が送信した信号に基づいて、該信号が一定の閾値より強い際に、データを送信し、それによりユーザー端末のエネルギー消費を節約することができ、ユーザー端末の省エネルギー効果を向上させる。
【００５３】
以上で図１を参照して、本発明の実施例によるデータを伝送する方法を詳細に説明したが、以下では図２〜図３を参照して、本発明の実施例によるデータを伝送する装置を説明する。
【００５４】
図２に示すように、本発明の実施例によるデータを伝送する装置２００は、
第２装置が送信した第１信号を受信するための送受信ユニット２１０、及び
該第１信号に基づき、データを送信するか否かを確定するための確定ユニット２２０を含む。
【００５５】
このため、本発明の実施例におけるデータを伝送する装置は、第２装置が送信した第１信号に基づき、例えば、該信号が一定の閾値より強い際に、データを送信し、それにより装置のエネルギー消費を節約することができ、装置の省エネルギー効果を向上させる。
【００５６】
選択可能に、該確定ユニット２２０は更に、該装置の位置を指示するための位置情報及び／又は該装置が受信した第２信号の強さを指示するための信号強度情報を確定することに用いられ、該送受信ユニット２１０は具体的に、該位置情報及び／又は信号強度情報に基づき、該第２装置が送信した該第１信号を受信することに用いられる。
選択可能に、該確定ユニット２２０は具体的に、ＧＰＳ及び／又は該装置の移動速度に基づき、該位置情報を確定することに用いられる。
【００５７】
選択可能に、該送受信ユニット２１０は具体的に、該位置情報に基づき、該装置と該第２装置との間の距離を確定し、該装置と該第２装置との間の距離が第１閾値以下であると確定した際に、該第２装置が送信した該第１信号を受信することに用いられる。
【００５８】
選択可能に、該第２信号は該装置が受信したＧＰＳ信号であり、又は、該第２信号はＲＳＵが送信した信号であり、又は、該第２信号は基地局が送信した信号であり、該ＲＳＵは端末タイプのＲＳＵ又は基地局タイプのＲＳＵである。
【００５９】
選択可能に、該送受信ユニット２１０は具体的に、該第２信号の強度が第２閾値以上であると確定した際に、該第２装置が送信した該第１信号を受信することに用いられる。
【００６０】
選択可能に、該送受信ユニット２１０は具体的に、該第１信号の信号強度が第３閾値以上である際に、該第２装置に該データを送信し、該第１信号の信号強度が該第３閾値より小さい際に、該第２装置に該データを送信しないことに用いられる。
【００６１】
選択可能に、該送受信ユニット２１０は具体的に、プリセット周期値にしたがって、周期的に該第２装置に該データを送信することに用いられる。
【００６２】
選択可能に、該送受信ユニット２１０は具体的に、ネットワーク装置が送信した少なくとも１つの周期値を受信することに用いられ、該確定ユニット２２０は具体的に、該第１信号の信号強度、又は該装置と該第２装置との間の距離に基づき、該少なくとも１つの周期値の中から該プリセット周期値を確定することに用いられる。
【００６３】
選択可能に、該送受信ユニット２１０は具体的に、ネットワーク装置が設定したリソース情報又はリソースプール情報に基づき、該第２装置に該データを送信することに用いられる。
【００６４】
選択可能に、該送受信ユニット２１０は具体的に、ネットワーク装置が設定したリソース情報又はリソースプール情報に基づき、該第２装置が送信した該第１信号を受信することに用いられる。
【００６５】
選択可能に、該装置２００はユーザー端末であり、該第２装置は車両端末又はＲＳＵである。
【００６６】
理解すべきなのは、本発明の実施例によるデータを伝送する装置２００は、本発明の実施例における方法１００を実行する第１装置に対応することができ、且つ装置２００における各ユニットの上記及びその他の操作及び／又は機能はそれぞれ図１における各方法の対応するフローを実現するためのものであり、簡潔にするために、ここでは再び説明しない。
【００６７】
このため、本発明の実施例のデータを伝送する装置は、自分の位置情報、又は受信できる信号の強度に基づいて、第２装置が送信した第１信号を受信するか否かを確定し、更に受信した第２装置が送信した第１信号に基づいて、例えば、該信号が一定の閾値より強い際に、データを送信し、それにより装置のエネルギー消費を節約することができ、装置の省エネルギー効果を向上させる。
【００６８】
図３に示すように、本発明の実施例はデータを伝送する装置３００を更に提供し、プロセッサー３１０及びトランシーバ３２０を含み、メモリ３３０を更に含んでもよく、バスシステム３４０を更に含んでもよい。プロセッサー３１０、トランシーバ３２０及びメモリ３３０はバスシステム３４０によって接続されることができ、該メモリ３３０は命令を記憶することに用いられ、トランシーバ３２０が信号を送受信することを制御するように、該プロセッサー３１０は該メモリ３３０に記憶された命令を実行することに用いられる。トランシーバ３２０は第２装置が送信した第１信号を受信することに用いられ、該プロセッサー３１０は該第１信号に基づき、データを送信するか否かを確定することに用いられる。
【００６９】
このため、本発明の実施例におけるデータを伝送する装置は、受信した第２装置が送信した第１信号に基づいて、例えば、該信号が一定の閾値より強い際に、データを送信し、それにより装置のエネルギー消費を節約することができ、装置の省エネルギー効果を向上させる。
【００７０】
理解すべきなのは、本発明の実施例において、該プロセッサー３１０は中央処理ユニット（Ｃｅｎｔｒａｌ  Ｐｒｏｃｅｓｓｉｎｇ  Ｕｎｉｔ、「ＣＰＵ」と略称する）であってもよく、該プロセッサー３１０はその他の汎用プロセッサー、デジタル信号プロセッサー（ＤＳＰ）、特定集積回路（ＡＳＩＣ）、フィールドプログラマブルゲートアレイ（ＦＰＧＡ）又はその他のプログラマブルロジックデバイス、離散ゲート或いはトランジスタ論理デバイス、ディスクリートハードウェアコンポーネント等であってもよい。汎用プロセッサーはマイクロプロセッサーであってもよく、或いは該プロセッサーは任意の従来のプロセッサー等であってもよい。
【００７１】
該メモリ３３０は読み取り専用メモリ及びランダムアクセスメモリを含んでもよく、且つプロセッサー３１０に命令及びデータを提供する。メモリ３３０の一部は不揮発性ランダムアクセスメモリを更に含んでもよい。例えば、メモリ３３０は装置タイプの情報を更に記憶することができる。
【００７２】
該バスシステム３４０はデータバスを含む以外、電源バス、制御バス及び状態信号バス等を含んでもよい。しかし、明確に説明するために、図の中で様々なバスをいずれもバスシステム３４０と記載する。
【００７３】
実現過程において、上記方法の各ステップはプロセッサー３１０におけるハードウェアの集積ロジック回路或いはソフトウェアの形の命令によって完成されることができる。本発明の実施例で開示された方法のステップは直接にハードウェアプロセッサーにより実行して完成することを表し、或いはプロセッサーにおけるハードウェア及びソフトウェアモジュールの組み合わせによって実行して完成されることができる。ソフトウェアモジュールはランダムメモリ、フラッシュメモリ、読み取り専用メモリ、プログラマブル読み取り専用メモリ或いは電気的消去可能なプログラマブルメモリ、レジスタ等の本分野における成熟した記憶メディアに位置することができる。該記憶メディアはメモリ３３０に位置し、プロセッサー３１０はメモリ３３０における情報を読み取り、そのハードウェアを組み合わせて上記方法のステップを完成する。重複を避けるために、ここで詳細に説明しない。
【００７４】
選択可能に、該プロセッサー３１０は更に、該装置の位置を指示するための位置情報及び／又は該装置が受信した第２信号の強さを指示するための信号強度情報を確定することに用いられ、該トランシーバ３２０は具体的に、該位置情報及び／又は信号強度情報に基づき、該第２装置が送信した該第１信号を受信することに用いられる。
選択可能に、該プロセッサー３１０は具体的に、ＧＰＳ及び／又は該装置の移動速度に基づき、該位置情報を確定することに用いられる。
【００７５】
選択可能に、該トランシーバ３２０は具体的に、該位置情報に基づき、該装置と該第２装置との間の距離を確定し、該装置と該第２装置との間の距離が第１閾値以下であると確定した際に、該第２装置が送信した該第１信号を受信することに用いられる。
【００７６】
選択可能に、該第２信号は該装置が受信したＧＰＳ信号であり、又は、該第２信号はＲＳＵが送信した信号であり、又は、該第２信号は基地局が送信した信号であり、該ＲＳＵは端末タイプのＲＳＵ又は基地局タイプのＲＳＵである。
【００７７】
選択可能に、該トランシーバ３２０は具体的に、該第２信号の強度が第２閾値以上であると確定した際に、該第２装置が送信した該第１信号を受信することに用いられる。
【００７８】
選択可能に、該トランシーバ３２０は具体的に、該第１信号の信号強度が第３閾値以上である際に、該第２装置に該データを送信し、該第１信号の信号強度が該第３閾値より小さい際に、該第２装置に該データを送信しないことに用いられる。
【００７９】
選択可能に、該トランシーバ３２０は具体的に、プリセット周期値にしたがって、周期的に該第２装置に該データを送信することに用いられる。
【００８０】
選択可能に、該トランシーバ３２０は具体的に、ネットワーク装置が送信した少なくとも１つの周期値を受信することに用いられ、該プロセッサー３１０は具体的に、該第１信号の信号強度、又は該装置と該第２装置との間の距離に基づき、該少なくとも１つの周期値の中から該プリセット周期値を確定することに用いられる。
【００８１】
選択可能に、該トランシーバ３２０は具体的に、ネットワーク装置が設定したリソース情報又はリソースプール情報に基づき、該第２装置に該データを送信することに用いられる。
【００８２】
選択可能に、該トランシーバ３２０は具体的に、ネットワーク装置が設定したリソース情報又はリソースプール情報に基づき、該第２装置が送信した該第１信号を受信することに用いられる。
【００８３】
選択可能に、該装置３００はユーザー端末であり、該第２装置は車両端末又はＲＳＵである。
【００８４】
理解すべきなのは、本発明の実施例によるデータを伝送する装置３００は本発明の実施例における装置２００に対応することができ、且つ本発明の実施例における方法１００を実行する第１装置に対応することができ、且つ装置３００における各部分の上記及びその他の操作及び／又は機能はそれぞれ図１における各方法の対応するフローを実現するためのものであり、簡潔にするために、ここでは再び説明しない。
【００８５】
このため、本発明の実施例のデータを伝送する装置は、自分の位置情報、又は受信できる信号の強度に基づいて、第２装置が送信した第１信号を受信するか否かを確定し、更に受信した第２装置が送信した第１信号に基づいて、例えば、該信号が一定の閾値より強い際に、データを送信し、それにより装置のエネルギー消費を節約することができ、装置の省エネルギー効果を向上させる。
【００８６】
当業者は、本文で開示された実施例に説明した各例のユニット及びアルゴリズムステップを組み合わせ、電子ハードウェア、或いはコンピュータソフトウェアと電子ハードウェアとの組み合わせによって実現できることを認識することができる。これらの機能がハードウェアで実行されるかソフトウェアで実行されるかは、技術的解決手段の特定アプリケーション及び設計制約条件によって決められる。当業者は各特定アプリケーションに対して異なる方法によって説明された機能を実現できるが、そのような実現は本発明の範囲を超えるとは見なされるべきではない。
【００８７】
当業者は、説明の便利と簡潔のために、上記で説明したシステム、装置及びユニットの具体的な作業過程は、上記の方法実施例の対応する過程を参照することができ、ここで再び説明しない。
【００８８】
本出願によるいくかの実施例において、理解すべきなのは、開示されたシステム、装置及び方法は、その他の形態によって実現することができる。例えば、以上で説明した装置の実施例はただ模式的なものであり、例えば、前記ユニットの分割は、ただ一種の論理的な機能分割であり、実際に実現する際に他の分割方式があることができ、例えば複数のユニット又はコンポーネントを組み合わせることができ或いは他のシステムに集積されることができ、又はいくつかの特徴を省略し、又は実行しないことができる。また、表示又は討論された互い間のカップリング又は直接カップリング又は通信接続はいくつかのインターフェース、装置又はユニットによる間接カップリング又は通信接続であってもよく、電気、機械又はその他の方法であってよい。
【００８９】
前記分離部材として説明したユニットは物理的に分離されてもよいし、物理的に分離されなくてもよく、ユニットとして表示した部材は物理ユニットであってもよいし、物理ユニットではなくてもよく、即ち１つの場所に位置することができ、或いは複数のネットワークユニットに分布されることもできる。実際の必要に応じてその中の一部或いは全部のユニットを選択して本実施例の手段の目的を実現することができる。
【００９０】
また、本発明の各実施例における各機能ユニットは１つの処理ユニットに集積されてもよいし、各ユニットが単独の物理的存在であってもよく、２つ又は２つ以上のユニットが１つのユニットに集積されてもよい。
【００９１】
前記機能はソフトウェア機能ユニットの形式で実現されて且つ独立した製品として販売又は使用される場合に、１つのコンピュータ読み取り可能な記憶メディアに記憶されることができる。このような理解に基づいて、本発明の技術的解決手段の本質的に、或いは従来の技術に貢献する部分或いは該技術的解決手段の部分はソフトウェア製品の形で表すことができ、該コンピュータソフトウェア製品は１つの記憶メディアに記憶され、一台のコンピュータ装置（パーソナルコンピュータ、サーバー、或いはネットワーク装置等）で本発明の各実施例による方法の全部又は一部のステップを実行するための複数の命令を含む。前記記憶メディアは、Ｕディスク、モバイルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク或いはライトディスク等のプログラムコードを記憶できる様々なメディアを含む。
【００９２】
上記は、本発明の具体的な実施形態だけであり、本発明の保護範囲はこれに制限されなく、当業者の誰でも、本発明が開示した技術範囲内に容易に想到しうる変化又は置換は、その全てが本発明の保護範囲に含まれるべきである。このため、本発明の保護範囲は前記請求項の保護範囲を基準とすべきである。
【図１】
2019533321.tif 000003
【図２】
2019533321.tif 000004
【図３】
2019533321.tif 000005
【手続補正書】
【提出日】令和1年9月10日(2019.9.10)
【手続補正１】
【補正対象書類名】明細書
【補正対象項目名】０００７
【補正方法】変更
【補正の内容】
【０００７】
第１態様を組み合わせて、第１態様の一実現方法において、該第１装置が第２装置の送信した第１信号を受信することは、該第１装置は該第１装置の位置を指示するための位置情報及び／又は該第１装置が受信した第２信号の強さを指示するための信号強度情報を確定することと、該第１装置は該位置情報及び／又は信号強度情報に基づき、該第２装置が送信した該第１信号を受信することと、を含む。
【手続補正２】
【補正対象書類名】明細書
【補正対象項目名】００３６
【補正方法】変更
【補正の内容】
【００３６】
選択可能に、一実施例として、第１装置がユーザー端末であることを例として、ユーザー端末は位置情報に基づき、第１信号を受信するか否かを確定することができる。具体的に、該位置情報は該ユーザー端末の位置を指示することに用いられることができ、ユーザー端末は測位装置、例えば、全地球測位システム（Ｇｌｏｂａｌ  Ｐｏｓｉｔｉｏｎｉｎｇ  Ｓｙｓｔｅｍ、ＧＰＳ）に基づき、該ユーザー端末が所在する地理位置を確定することができ、ユーザー端末は自分が屋外にあることを確定した場合に、第２装置が送信した第１信号を受信することを確定し、ユーザー端末は自分が屋内にあることを確定した場合に、第２装置が送信した第１信号を受信しない。
【手続補正３】
【補正対象書類名】特許請求の範囲
【補正対象項目名】全文
【補正方法】変更
【補正の内容】
【特許請求の範囲】
【請求項１】
データを伝送する方法であって、
第１装置は第２装置が送信した第１信号を受信するステップ、及び
前記第１装置は前記第１信号に基づき、データを送信するか否かを確定するステップを含むことを特徴とするデータを伝送する方法。
【請求項２】
前記第１装置が第２装置の送信した第１信号を受信することは、
前記第１装置は前記第１装置の位置を指示するための位置情報及び／又は前記第１装置が受信した第２信号の強さを指示するための信号強度情報を確定することと、
前記第１装置は前記位置情報及び／又は信号強度情報に基づき、前記第２装置が送信した前記第１信号を受信することと、を含むことを特徴とする請求項１に記載の方法。
【請求項３】
前記第１装置が位置情報を確定することは、
前記第１装置は全地球測位システムＧＰＳ及び／又は前記第１装置の移動速度に基づき、前記位置情報を確定することを含むことを特徴とする請求項２に記載の方法。
【請求項４】
前記第１装置が前記位置情報に基づき、前記第２装置の送信した前記第１信号を受信することは、
前記第１装置は前記位置情報に基づき、前記第１装置と前記第２装置との間の距離を確定することと、
前記第１装置は前記第１装置と前記第２装置との間の距離が第１閾値以下であると確定した際に、前記第２装置が送信した前記第１信号を受信することと、を含むことを特徴とする請求項２又は３に記載の方法。
【請求項５】
前記第２信号は前記第１装置が受信したＧＰＳ信号であり、又は
前記第２信号はロードサイドユニットＲＳＵが送信した信号であり、又は
前記第２信号は基地局が送信した信号であり、
前記ＲＳＵは端末タイプのＲＳＵ又は基地局タイプのＲＳＵであることを特徴とする請求項２に記載の方法。
【請求項６】
前記第１装置が前記信号強度情報に基づき、前記第２装置の送信した前記第１信号を受信することは、
前記第１装置は前記第２信号の強度が第２閾値以上であると確定した際に、前記第２装置が送信した前記第１信号を受信することを含むことを特徴とする請求項２又は５に記載の方法。
【請求項７】
前記第１装置が前記第１信号に基づき、データを送信するか否かを確定することは、
前記第１信号の信号強度が第３閾値以上である際に、前記第１装置は前記第２装置に前記データを送信することと、
前記第１信号の信号強度が前記第３閾値より小さい際に、前記第１装置は前記第２装置に前記データを送信しないことと、を含むことを特徴とする請求項１〜６のいずれか一項に記載の方法。
【請求項８】
前記第１装置が前記第２装置に前記データを送信することは、
前記第１装置はプリセット周期値にしたがって、周期的に前記第２装置に前記データを送信することを含むことを特徴とする請求項７に記載の方法。
【請求項９】
前記方法は更に、
前記第１装置はネットワーク装置が送信した少なくとも１つの周期値を受信すること、及び
前記第１装置は前記第１信号の信号強度、又は前記第１装置と前記第２装置との間の距離に基づき、前記少なくとも１つの周期値の中から前記プリセット周期値を確定することを含むことを特徴とする請求項８に記載の方法。
【請求項１０】
前記第１装置が前記第２装置に前記データを送信することは、
前記第１装置はネットワーク装置が設定したリソース情報又はリソースプール情報に基づき、前記第２装置に前記データを送信することを含むことを特徴とする請求項１〜９のいずれか一項に記載の方法。
【請求項１１】
前記第１装置が第２装置が送信した第１信号を受信することは、
前記第１装置はネットワーク装置が設定したリソース情報又はリソースプール情報に基づき、前記第２装置が送信した前記第１信号を受信することを含むことを特徴とする請求項１〜１０のいずれか一項に記載の方法。
【請求項１２】
前記第１装置はユーザー端末であり、前記第２装置は車両端末又はロードサイドユニットＲＳＵ又はネットワーク基地局であることを特徴とする請求項１〜１１のいずれか一項に記載の方法。
【請求項１３】
データを伝送する装置であって、
第２装置が送信した第１信号を受信するための送受信ユニット、及び
前記第１信号に基づき、データを送信するか否かを確定するための確定ユニットを含むことを特徴とするデータを伝送する装置。
【請求項１４】
記憶ユニット及びプロセッサーを備え、
前記記憶ユニットは命令を記憶し、
前記プロセッサーは前記記憶ユニットに記憶された命令を実行して、且つ前記プロセッサーが前記記憶ユニットに記憶された命令を実行する場合に、前記実行によって前記プロセッサーは請求項１〜１２のいずれか一項に記載の方法を実行するデータを伝送する装置。
【請求項１５】
コンピュータプログラムを記憶することに用いられ、
前記コンピュータプログラムは請求項１〜１２のいずれか一項に記載の方法を実行するための命令を含むコンピュータ可読媒体。
【国際調査報告】
2019533321.tif 000006
2019533321.tif 000007
2019533321.tif 000008
2019533321.tif 000009